(57)【要約】【課題】無線通信方式を切り替える際に不都合が生じない携帯通信端末を提供する。【解決手段】無線ＬＡＮで通信を行う無線ＬＡＮ通信部２０２と、モバイルＷｉＭＡＸで通信を行うモバイルＷｉＭＡＸ通信部２０４と、無線ＬＡＮ通信部２０２による通信が可能か否かを判定する判定部（通信方法判定部２０８）と、モバイルＷｉＭＡＸ通信部２０４がリアルタイムデータを通信しているとき、たとえ前記判定部が無線ＬＡＮ通信部２０２による通信が可能であると判定しても、前記リアルタイムデータの通信が完了するまでモバイルＷｉＭＡＸによる通信を維持する制御部（通信方法判定部２０８及び通信方式切り替え部２０７）とを備える携帯通信端末。【選択図】図２
2010028416.tif 000002
【特許請求の範囲】
【請求項１】
第１の無線通信範囲での無線通信が可能な第１の無線通信方式で通信を行う第１の通信部と、
前記第１の無線通信範囲よりも広範囲である第２の無線通信範囲での無線通信が可能な第２の無線通信方式で通信を行う第２の通信部と、
前記第１の通信部による通信が可能か否かを判定する判定部と、
前記第２の通信部がリアルタイムデータを通信しているとき、たとえ前記判定部が前記第１の通信部による通信が可能であると判定しても、前記リアルタイムデータの通信が完了するまで前記第２の無線通信方式による通信を維持する制御部とを備えることを特徴とする携帯通信端末。
【請求項２】
前記制御部が、
前記２の通信部が非リアルタイムデータを通信しているとき、前記判定部が前記第１の通信部による通信が可能であると判定すると、前記非リアルタイムデータの通信が完了するのを待たずに無線通信方式を前記第２の無線通信方式から前記第１の無線通信方式に切り替える請求項１に記載の携帯通信端末。
【請求項３】
前記非リアルタイムデータが、インターネットＷＥＢブラウジングのデータ及び電子メールのデータの少なくとも一つを含むことを特徴とする請求項２に記載の携帯通信端末。
【請求項４】
前記リアルタイムデータがストリーミングデータを含むことを特徴とする請求項１〜３のいずれか１項に記載の携帯通信端末。
【請求項５】
前記ストリーミングデータが、動画データ及び音声データの少なくとも一つを含むことを特徴とする請求項４に記載の携帯通信端末。
【請求項６】
前記第２の無線通信方式が、ＷｉＭＡＸ、ＬＴＥ、及びＨＳＤＰＡの少なくとも一つを含むことを特徴とする請求項１〜５のいずれか１項に記載の携帯通信端末。
【請求項７】
前記第１の無線通信方式が、無線ＬＡＮ、ブルートゥース（登録商標）、及び赤外線通信の少なくとも一つを含むことを特徴とする請求項１〜６のいずれか１項に記載の携帯通信端末。
【請求項８】
請求項１〜７のいずれか１項に記載の携帯通信端末と、
前記携帯通信端末が搭載している第１の通信部との間で第１の無線通信方式で通信を行う第１の基地局と、
前記携帯通信端末が搭載している第２の通信部との間で第２の無線通信方式で通信を行う第２の基地局とを備えることを特徴とする無線通信システム。
【発明の詳細な説明】
【技術分野】
【０００１】
本発明は、二種類の無線通信方式での無線通信が可能な携帯通信端末及びそれを備えた無線通信システムに関し、特に無線通信可能範囲の広さが互いに異なる二種類の無線通信方式での無線通信が可能な携帯通信端末及びそれを備えた無線通信システムに関する。
【背景技術】
【０００２】
ＩＥＥＥ８０２．１１に準拠した無線ＬＡＮ（Local Area Network）に接続できる機能を備えるモバイルＰＣや携帯電話が広く世間に広まっている。ＩＥＥＥ８０２．１１に準拠した無線ＬＡＮに接続できる機能を備えるモバイルＰＣや携帯電話は、無線ＬＡＮでＶｏＩＰ（Voice over Internet Protocol）を実現し、無線ＬＡＮを介した音声通話を可能にしている（例えば特許文献１及び特許文献２参照）。
【０００３】
特許文献１では、無線電話回線及び無線ＬＡＮ回線のうちの一方を選択的に使用するように回線切り替えを行う携帯型情報機器を開示している。また、特許文献２では、既存の公衆電話回線網と無線ＬＡＮとを統合し、無線ＬＡＮにおける子局と公衆電話回線網における一般電話機とが相互に通信できるようにした無線ＬＡＮ利用電話システムを開示している。
【０００４】
一方、無線ＬＡＮよりも無線通信可能範囲が広い無線通信方式である次世代高速無線通信方式「モバイルＷｉＭＡＸ」のサービスが、ＵＱコミュニケーションズ株式会社によって２００９年３月から開始される。尚、「モバイルＷｉＭＡＸ」は、ＩＥＥＥ８０２．１６ｅに準拠したモバイル用無線通信の規格である。
【０００５】
また、無線ＬＡＮよりも無線通信可能範囲が広い無線通信方式として、上述したモバイルＷｉＭＡＸの他に、すでにサービスが開始されているＨＳＤＰＡ（High Speed Downlink Packet Access）や、２０１０年ごろにサービスが本格的に開始されると予測されるＬＴＥ（Long Term Evolution）がある。
【０００６】
ＨＳＤＰＡは、Ｗ−ＣＤＭＡ（Wideband Code Division Multiple Access）の標準化団体３ＧＰＰ（Third Generation Partnership Project）が策定した通信規格であって、第３世代携帯電話（３Ｇ）の通信方式「Ｗ−ＣＤＭＡ」のデータ通信を高速化した拡張規格であるため「３．５Ｇ」とも呼ばれる。ＨＳＤＰＡは、下り（基地局→端末）方向の通信速度を向上させる通信規格であり、３Ｇでは３８４ｋｂｐｓ〜２Ｍｂｐｓ程度だった通信速度を最高で１４．４Ｍｂｐｓ(理論値)まで引き上げることができる。
【０００７】
ＬＴＥは、Ｗ−ＣＤＭＡの標準化団体３ＧＰＰにて標準化が進められている通信規格であって、第３．９世代携帯電話（３．９Ｇ）の通信方式と位置づけられており、下り（基地局→端末）方向で１００Ｍｂｐｓ以上、上り（端末→基地局）方向で５０Ｍｂｐｓ以上の高速通信の実現を目指している。
【０００８】
【特許文献１】特開２００３−１１０７５１号公報
【特許文献２】特開２００２−２４７６４７号公報
【発明の開示】
【発明が解決しようとする課題】
【０００９】
以下、携帯通信端末において、モバイルＷｉＭＡＸ、ＬＴＥ、ＨＳＤＰＡ等の無線通信可能範囲が広い無線通信方式と、無線ＬＡＮ、ブルートゥース（登録商標）、ＩｒＤＡ（Infrared Data Association）規格の赤外線通信等の無線通信可能範囲が狭い無線通信方式とのいずれが望ましいかについて検討する。
【００１０】
モバイルＷｉＭＡＸ、ＬＴＥ、ＨＳＤＰＡ等の無線通信可能範囲が広い無線通信方式は、無線ＬＡＮ、ブルートゥース（登録商標）、ＩｒＤＡ規格の赤外線通信等の無線通信可能範囲が狭い無線通信方式に比べて最大通信距離が長いため、無線ＬＡＮ、ブルートゥース（登録商標）、ＩｒＤＡ規格の赤外線通信等の無線通信可能範囲が狭い無線通信方式に比べて携帯通信端末の消費電力が大きくなる。このため、基地局と携帯通信端末との間でやり取りする通信データが同一である場合は、できるだけ無線ＬＡＮ、ブルートゥース（登録商標）、ＩｒＤＡ規格の赤外線通信等の無線通信可能範囲が狭い無線通信方式で通信する方が、携帯通信端末のバッテリが長持ちする。
【００１１】
また、モバイルＷｉＭＡＸ、ＬＴＥ、ＨＳＤＰＡ等の無線通信可能範囲が広い無線通信方式は、通信キャリアが事業として行うので、通信料が発生する。このため、できるだけ無線ＬＡＮ、ブルートゥース（登録商標）、ＩｒＤＡ規格の赤外線通信等の無線通信可能範囲が狭い無線通信方式で通信する方が、通信コストを節約することができる。
【００１２】
また、モバイルＷｉＭＡＸ、ＬＴＥ、ＨＳＤＰＡ等の無線通信可能範囲が広い無線通信方式は、無線通信可能範囲が広いので無線帯域が広範囲に影響する。このため、できるだけできるだけ無線ＬＡＮ、ブルートゥース（登録商標）、ＩｒＤＡ規格の赤外線通信等の無線通信可能範囲が狭い無線通信方式で通信する方が、無線帯域を効率よく使用することができる。
【００１３】
モバイルＷｉＭＡＸ、ＬＴＥ、ＨＳＤＰＡ等の無線通信可能範囲が広い無線通信方式と、無線ＬＡＮ、ブルートゥース（登録商標）、ＩｒＤＡ規格の赤外線通信等の無線通信可能範囲が狭い無線通信方式との自動切り替えを上記検討結果に基づいて単純に行った場合、以下のような問題が生じる。
【００１４】
例えば、無線ＬＡＮモジュールとモバイルＷｉＭＡＸモジュールを搭載している携帯通信端末が屋外に位置していて、無線ＬＡＮアクセスポイントとの通信が行えないため、モバイルＷｉＭＡＸ通信で動画データや音声データ等のストリーミングデータを通信している場合を想定する。そして、ユーザーが当該携帯通信端末を携帯して、無線ＬＡＮアクセスポイントが設置されている建物内に入った場合、上記検討結果に基づいて単純に無線通信方式の自動切り替えを行うと、無線ＬＡＮアクセスポイントとの接続が確立された途端に無線通信方式がモバイルＷｉＭＡＸから無線ＬＡＮに切り替わる。この際、モバイルＷｉＭＡＸから無線ＬＡＮへの切り替えに時間がかかり、どうしてもストリーミングデータが途切れてしまう。
【００１５】
本発明は、上記の状況に鑑み、無線通信方式を切り替える際に不都合が生じない携帯通信端末及びそれを備えた無線通信システムを提供することを目的とする。
【課題を解決するための手段】
【００１６】
上記目的を達成するために本発明に係る携帯通信端末は、第１の無線通信範囲での無線通信が可能な第１の無線通信方式で通信を行う第１の通信部と、前記第１の無線通信範囲よりも広範囲である第２の無線通信範囲での無線通信が可能な第２の無線通信方式で通信を行う第２の通信部と、前記第１の通信部による通信が可能か否かを判定する判定部と、前記第２の通信部がリアルタイムデータを通信しているとき、たとえ前記判定部が前記第１の通信部による通信が可能であると判定しても、前記リアルタイムデータの通信が完了するまで前記第２の無線通信方式による通信を維持する制御部とを備える構成とする。
【００１７】
このような構成によると、前記第２の通信部がリアルタイムデータを通信しているとき、たとえ前記判定部が前記第１の通信部による通信が可能であると判定しても、前記リアルタイムデータの通信が完了するまで前記第２の無線通信方式による通信を維持するので、前記リアルタイムデータが通信中に途切れるという不具合が生じない。
【００１８】
また、前記制御部が、前記２の通信部が非リアルタイムデータを通信しているとき、前記判定部が前記第１の通信部による通信が可能であると判定すると、前記非リアルタイムデータの通信が完了するのを待たずに無線通信方式を前記第２の無線通信方式から前記第１の無線通信方式に切り替えるようにしてもよい。
【００１９】
このような構成によると、前記２の通信部が非リアルタイムデータを通信しているとき、前記判定部が前記第１の通信部による通信が可能であると判定すると、前記非リアルタイムデータの通信が完了するのを待たずに無線通信方式を前記第２の無線通信方式から前記第１の無線通信方式に切り替えるので、携帯通信端末のバッテリの長寿命化、通信コストの削減、及び効率の良い無線帯域の使用を実現することができる。
【００２０】
また、前記非リアルタイムデータが、インターネットＷＥＢブラウジングのデータ及び電子メールのデータの少なくとも一つを含むようにしてもよい。
【００２１】
また、前記リアルタイムデータがストリーミングデータを含むようにしてもよい。
【００２２】
また、前記ストリーミングデータが、動画データ及び音声データの少なくとも一つを含むようにしてもよい。
【００２３】
また、前記第２の無線通信方式が、ＷｉＭＡＸ、ＬＴＥ、及びＨＳＤＰＡの少なくとも一つを含むようにしてもよい。
【００２４】
また、前記第１の無線通信方式が、無線ＬＡＮ、ブルートゥース（登録商標）、及び赤外線通信の少なくとも一つを含むようにしてもよい。
【００２５】
また、上記目的を達成するために本発明に係る無線通信システムは、上記いずれかの構成の携帯通信端末と、前記携帯通信端末が搭載している第１の通信部との間で第１の無線通信方式で通信を行う第１の基地局と、前記携帯通信端末が搭載している第２の通信部との間で第２の無線通信方式で通信を行う第２の基地局とを備える構成とする。
【発明の効果】
【００２６】
本発明に係る携帯通信端末及びそれを備えた無線通信システムによると、第１の無線通信範囲よりも広範囲である第２の無線通信範囲での無線通信が可能な第２の無線通信方式で通信を行う第２の通信部がリアルタイムデータを通信しているとき、たとえ判定部が第１の無線通信範囲での無線通信が可能な第１の無線通信方式で通信を行う第１の通信部による通信が可能であると判定しても、前記リアルタイムデータの通信が完了するまで前記第２の無線通信方式による通信を維持するので、前記リアルタイムデータが通信中に途切れるという不具合が生じない。
【発明を実施するための最良の形態】
【００２７】
本発明の実施形態について図面を参照して以下に説明する。
【００２８】
（無線通信システムの全体構成）
図１Ａ及び図１Ｂは、本発明に係る無線通信システムの全体構成の一例を示す図である。図１Ａ及び図１Ｂに示す本発明に係る無線通信システムは、無線ＬＡＮモジュール及びモバイルＷｉＭＡＸモジュールを搭載している携帯電話機１０１と、モバイルＷｉＭＡＸ基地局１０２と、建物１０４の中に設置されている無線ＬＡＮアクセスポイント１０３とによって構成されている。モバイルＷｉＭＡＸ基地局１０２と無線ＬＡＮアクセスポイント１０３はそれぞれインターネット回線１０５に接続されている。
【００２９】
図１Ａに示すように携帯電話機１０１が建物１０４の外に位置していて無線ＬＡＮアクセスポイント１０３との接続が確立できない場合、携帯電話機１０１は、モバイルＷｉＭＡＸ端末として機能し、モバイルＷｉＭＡＸ基地局１０２を経由してインターネット回線１０５に接続され、他の無線通信端末（不図示）とのモバイルＷｉＭＡＸ通信が可能となる。
【００３０】
一方、図１Ｂに示すように携帯電話機１０１が建物１０４の中に位置していて無線ＬＡＮアクセスポイント１０３との接続が確立できる場合、携帯電話機１０１は、無線ＬＡＮ端末として機能し、無線ＬＡＮアクセスポイント１０３を経由してインターネット回線１０５に接続され、他の無線通信端末（不図示）との無線ＬＡＮ通信が可能となる。
【００３１】
すなわち、携帯電話機１０１は、無線ＬＡＮアクセスポイント１０３との接続が確立できるか否かによって、無線通信方式を自動で切り替える機能を有しており、無線ＬＡＮアクセスポイント１０３との接続が確立できる場合は無線ＬＡＮを自動的に選択し、無線ＬＡＮアクセスポイント１０３との接続が確立できない場合はモバイルＷｉＭＡＸを自動的に選択する。
【００３２】
ここで、携帯電話機１０１が建物１０４の外に位置していて無線ＬＡＮアクセスポイント１０３との接続が確立できないため、モバイルＷｉＭＡＸ通信で動画データや音声データ等のストリーミングデータを通信している場合を想定する。そして、ユーザーが携帯電話機１０１を携帯して、無線ＬＡＮアクセスポイント１０３が設置されている建物１０４の中に入った場合、もしも無線ＬＡＮアクセスポイント１０３との接続が確立された途端に無線通信方式がモバイルＷｉＭＡＸから無線ＬＡＮに切り替わると、モバイルＷｉＭＡＸから無線ＬＡＮへの切り替えに時間がかかり、どうしてもストリーミングデータの途切れが発生してしまう。
【００３３】
そこで、携帯電話機１０１は、無線ＬＡＮアクセスポイント１０３と通信できる状態となっても、通信データがストリーミングデータ等のリアルタイムデータであるときは、当該リアルタイムデータの通信が完了するまで、無線通信方式を切り替えないようにしている。その一方で、携帯電話機１０１は、通信データがインターネットＷＥＢブラウジングのデータや電子メールのデータ等の非アルタイムデータであるときは、当該非リアルタイムデータの通信が完了するのを待たずに、無線通信方式をモバイルＷｉＭＡＸから無線ＬＡＮに切り替える。以下、携帯電話機１０１の構成及び動作について詳細に説明する。
【００３４】
（携帯電話機の構成及び動作）
図２は携帯電話機１０１の一構成例を示すブロック図である。図２に示す携帯電話機１０１は、無線ＬＡＮ通信用アンテナ２０１と、無線ＬＡＮ通信部２０２と、モバイルＷｉＭＡＸ通信用アンテナ２０３と、モバイルＷｉＭＡＸ通信部２０４と、通信データ種類判定部２０５と、接続情報保存部２０６と、通信方式切り替え部２０７と、通信方式判定部２０８と、通信方式入力部２０９と、通信データ変換部２１０と、出力部２１１と、送信用通信データ作成部２１２と、送信用通信データ記憶部２１３とを備えている。
【００３５】
はじめに、通信データを受信する際の携帯電話機１０１の動作について図３及び図４を参照して説明する。携帯電話機１０１は、通信データの受信開始時に、無線ＬＡＮ通信部２０２と無線ＬＡＮアクセスポイント１０３との接続が確立できるか否かを調べ、モバイルＷｉＭＡＸ通信部２０４とモバイルＷｉＭＡＸ基地局１０２との接続が確立できるか否かを調べる。
【００３６】
モバイルＷｉＭＡＸ通信部２０４とモバイルＷｉＭＡＸ基地局１０２との接続のみが確立できる場合、携帯電話機１０１は、図３に示すフロー動作で通信データの受信を開始する。一方、無線ＬＡＮ通信部２０２と無線ＬＡＮアクセスポイント１０３との接続及びモバイルＷｉＭＡＸ通信部２０４とモバイルＷｉＭＡＸ基地局１０２との接続がそれぞれ確立できる場合、携帯電話機１０１は、図４に示すフロー動作で通信データの受信を開始する。
【００３７】
ここで、携帯電話機１０１の図３に示すフロー動作について説明する。モバイルＷｉＭＡＸ通信部２０４は、モバイルＷｉＭＡＸ通信用アンテナ２０３を介して、モバイルＷｉＭＡＸ基地局１０２から送信される通信データを受信する（ステップＳ１１０）。
【００３８】
ステップＳ１１０に続くステップＳ１２０において、通信方式判定部２０８は、無線ＬＡＮ通信が可能であるか否かを判定する。例えば、通信方式判定部２０８は、無線ＬＡＮ通信部２０２及び無線ＬＡＮ通信用アンテナ２０１を用いて、無線ＬＡＮアクセスポイント１０３に対して接続確立要求信号（無線ＬＡＮ通信部２０２と無線ＬＡＮアクセスポイント１０３との接続の確立を要求する信号）を送り、無線ＬＡＮアクセスポイント１０３がその接続確立要求信号に応答して返信してきた場合に、無線ＬＡＮ通信が可能であると判定するとよい。
【００３９】
無線ＬＡＮ通信が可能でなければ（ステップＳ１２０のＮＯ）、通信方式判定部２０８は、無線通信方式をモバイルＷｉＭＡＸから無線ＬＡＮに切り替えないと判定する。そして、その判定結果に従って、通信方式切り替え部２０７は、モバイルＷｉＭＡＸ通信部２０４に給電し無線ＬＡＮ通信部２０２に給電しないことでモバイルＷｉＭＡＸを選択し、モバイルＷｉＭＡＸ通信を維持する。これにより、モバイルＷｉＭＡＸ通信部２０４は、モバイルＷｉＭＡＸ通信用アンテナ２０３を介して、モバイルＷｉＭＡＸ基地局１０２から送信される通信データを受信し続ける（ステップＳ１４０）。
【００４０】
一方、無線ＬＡＮ通信が可能であれば（ステップＳ１２０のＹＥＳ）、通信データ種類判定部２０５は、通信データがストリーミングデータ等のリアルタイムデータであるか、インターネットＷＥＢブラウジングのデータ等の非リアルタイムデータであるかを判定する（ステップＳ１３０）。また、ステップＳ１３０において、接続情報保存部２０６は、無線通信方式が変更されても同じ接続先につながるように、現在接続情報（現在の接続先であるＵＲＬ、コンピュータのＩＰアドレス等）を記録する。
【００４１】
ステップＳ１３０における判定の結果、通信データがリアルタイムデータである場合（ステップＳ１３０のＹＥＳ）、通信方式判定部２０８は、無線通信方式をモバイルＷｉＭＡＸから無線ＬＡＮに切り替えないと判定する。そして、その判定結果に従って、通信方式切り替え部２０７は、モバイルＷｉＭＡＸ通信部２０４に給電し無線ＬＡＮ通信部２０２に給電しないことでモバイルＷｉＭＡＸを選択し、モバイルＷｉＭＡＸ通信を維持する。これにより、モバイルＷｉＭＡＸ通信部２０４は、モバイルＷｉＭＡＸ通信用アンテナ２０３を介して、モバイルＷｉＭＡＸ基地局１０２から送信される通信データを受信し続け（ステップＳ１４０）、フロー動作を終了する。そして、通信データの受信が完了していなければ、再び図３に示すフロー動作を開始する。
【００４２】
ステップＳ１３０における判定の結果、通信データが非リアルタイムデータである場合（ステップＳ１３０のＮＯ）、通信方式判定部２０８は、無線通信方式をモバイルＷｉＭＡＸから無線ＬＡＮに切り替えると判定する。そして、その判定結果に従って、通信方式切り替え部２０７は、無線ＬＡＮ通信部２０２に給電しモバイルＷｉＭＡＸ通信部２０４に給電しないことで無線ＬＡＮを選択し、モバイルＷｉＭＡＸ通信から無線ＬＡＮ通信に変更する。これにより、無線ＬＡＮ通信部２０２は、接続情報保存部２０６が記録している現在接続情報から接続先を特定し、無線ＬＡＮ通信用アンテナ２０１を介して、無線ＬＡＮアクセスポイント１０３から送信される通信データを受信し始め（ステップＳ１５０）、フロー動作を終了する。そして、通信データの受信が完了していなければ、後述する図４に示すフロー動作を開始する。
【００４３】
上記のような動作によると、モバイルＷｉＭＡＸ通信部２０４がリアルタイムデータを受信しているときは、たとえ無線ＬＡＮ通信が可能であると通信方式判定部２０８によって判定されても、リアルタイムデータの受信が完了するまでは無線通信方式をモバイルＷｉＭＡＸに維持するので、リアルタイムデータが受信中に途切れるという不具合が生じない。
【００４４】
また、上記のような動作によると、モバイルＷｉＭＡＸ通信部２０４が非リアルタイムデータを受信しているときは、無線ＬＡＮ通信が可能であると通信方式判定部２０８によって判定されると、非リアルタイムデータの受信が完了するのを待たずに無線通信方式をモバイルＷｉＭＡＸから無線ＬＡＮに切り替えるので、携帯電話機１０１のバッテリの長寿命化、通信コストの削減、及び効率の良い無線帯域の使用を実現することができる。
【００４５】
尚、モバイルＷｉＭＡＸ通信部２０４又は無線ＬＡＮ通信部２０２で受信された通信データは、通信方式切り替え部２０７及び通信データ変換部２１０を経由し、出力部２１１に到達する。ディスプレイやスピーカ等によって構成される出力部２１１は、通信データ変換部２１０によって変換処理が施された通信データに応じた映像出力や音声出力等を行う。
【００４６】
通信方式入力部２０９は、無線通信方式の選択に関するユーザーからの指示内容を入力する。携帯電話機１０１と無線ＬＡＮアクセスポイント１０３との距離が短く、携帯電話機１０１の無線ＬＡＮ通信部２０２と無線ＬＡＮアクセスポイント１０３との接続が確立できる場合、モバイルＷｉＭＡＸ通信と無線ＬＡＮ通信の両方が選択可能になる。この場合に、携帯電話機１０１の通信方式判定部２０８が、図３に示すフロー動作よりも、上記指示内容を優先させるようにしてもよい。これにより、モバイルＷｉＭＡＸ通信から無線ＬＡＮへの無線通信方式の自動切り替えをユーザーの意志によって無効化することができる。
【００４７】
また、無線ＬＡＮアクセスポイント１０３に、無線通信方式の選択に関するユーザーからの指定内容を入力する通信方式入力部を設けてもよい。携帯電話機１０１と無線ＬＡＮアクセスポイント１０３との距離が短く、携帯電話機１０１の無線ＬＡＮ通信部２０２と無線ＬＡＮアクセスポイント１０３との接続が確立できる場合、モバイルＷｉＭＡＸ通信と無線ＬＡＮ通信の両方が選択可能になる。この場合に、携帯電話機１０１の通信方式判定部２０８が、上記指示内容を無線ＬＡＮ通信用アンテナ２０１及び無線ＬＡＮ通信部２０２を介して受け取り、図３に示すフロー動作よりも、上記指示内容を優先させるようにしてもよい。これにより、モバイルＷｉＭＡＸ通信から無線ＬＡＮへの無線通信方式の自動切り替えをユーザーの意志によって無効化することができる。
【００４８】
続いて、携帯電話機１０１の図４に示すフロー動作について説明する。尚、無線ＬＡＮで通信が可能である場合は、できるだけ無線ＬＡＮで通信することが通常の設定であるが、図４に示すフロー動作では、通信方式入力部２０９又は無線ＬＡＮアクセスポイント１０３の通信方式入力部がモバイルＷｉＭＡＸを選択する旨のユーザーからの指示内容を入力し、携帯電話機１０１の通信方式判定部２０８が、通信データが非リアルタイムデータである場合には、上記通常の設定よりも上記指示内容を優先させている。
【００４９】
無線ＬＡＮ通信部２０２は、無線ＬＡＮ通信用アンテナ２０１を介して、無線ＬＡＮアクセスポイント１０３から送信される通信データを受信する（ステップＳ２１０）。
【００５０】
ステップＳ２１０に続くステップＳ２２０において、通信データ種類判定部２０５は、通信データがストリーミングデータ等のリアルタイムデータであるか、インターネットＷＥＢブラウジングのデータ等の非リアルタイムデータであるかを判定する。また、ステップＳ２２０において、接続情報保存部２０６は、無線通信方式が変更されても同じ接続先につながるように、現在接続情報（現在の接続先であるＵＲＬ、コンピュータのＩＰアドレス等）を記録する。
【００５１】
ステップＳ２２０における判定の結果、通信データがリアルタイムデータである場合（ステップＳ２２０のＹＥＳ）、通信方式判定部２０８は、無線通信方式を無線ＬＡＮからモバイルＷｉＭＡＸに切り替えないと判定する。そして、その判定結果に従って、通信方式切り替え部２０７は、無線ＬＡＮ通信部２０２に給電しモバイルＷｉＭＡＸ通信部２０４に給電しないことで無線ＬＡＮを選択し、無線ＬＡＮ通信を維持する。これにより、無線ＬＡＮ通信部２０２は、無線ＬＡＮ通信用アンテナ２０１を介して、無線ＬＡＮアクセスポイント１０３から送信される通信データを受信し続け（ステップＳ２３０）、フロー動作を終了する。そして、通信データの受信が完了していなければ、再び図４に示すフロー動作を開始する。
【００５２】
ステップＳ２２０における判定の結果、通信データが非リアルタイムデータである場合（ステップＳ２２０のＮＯ）、通信方式判定部２０８は、通信方式入力部２０９又は無線ＬＡＮアクセスポイント１０３の通信方式入力部が入力したユーザーからの指示内容に従って、無線通信方式を無線ＬＡＮからモバイルＷｉＭＡＸに切り替えると判定する。そして、その判定結果に従って、通信方式切り替え部２０７は、モバイルＷｉＭＡＸ通信部２０４に給電し無線ＬＡＮ通信部２０２に給電しないことでモバイルＷｉＭＡＸを選択し、無線ＬＡＮ通信からモバイルＷｉＭＡＸ通信に変更する。これにより、モバイルＷｉＭＡＸ通信部２０４は、接続情報保存部２０６が記録している現在接続情報から接続先を特定し、モバイルＷｉＭＡＸ通信用アンテナ２０３を介して、モバイルＷｉＭＡＸ基地局１０２から送信される通信データを受信し始め（ステップＳ２４０）、フロー動作を終了する。そして、通信データの受信が完了していなければ、上述した図３に示すフロー動作を開始する。
【００５３】
尚、無線ＬＡＮ通信部２０２又はモバイルＷｉＭＡＸ通信部２０４で受信された通信データは、通信方式切り替え部２０７及び通信データ変換部２１０を経由し、出力部２１１に到達する。ディスプレイやスピーカ等によって構成される出力部２１１は、通信データ変換部２１０によって変換処理が施された通信データに応じた映像出力や音声出力等を行う。
【００５４】
また、ユーザーが携帯電話機１０１を携帯して、無線ＬＡＮアクセスポイント１０３が設置されている建物１０４から出て無線ＬＡＮアクセスポイント１０３との接続が困難になった場合、携帯電話機１０１は、その旨を出力部２１１のディスプレイによりユーザーに対して表示し、リアルタイムデータが途切れることを許容してモバイルＷｉＭＡＸ通信に切り替えるか、このままリアルタイムデータの受信が完了するまで無線ＬＡＮ通信が可能な範囲にとどまるかをユーザーに判断してもらい、その判断結果が携帯電話機１０１の操作部によって入力されるようにしてもよい。
【００５５】
次に、通信データを送信する際の携帯電話機１０１の動作について図５及び図６を参照して説明する。携帯電話機１０１は、通信データの送信開始時に、無線ＬＡＮ通信部２０２と無線ＬＡＮアクセスポイント１０３との接続が確立できるか否かを調べ、モバイルＷｉＭＡＸ通信部２０４とモバイルＷｉＭＡＸ基地局１０２との接続が確立できるか否かを調べる。
【００５６】
ここで、携帯電話機１０１の図５に示すフロー動作について説明する。モバイルＷｉＭＡＸ通信部２０４は、モバイルＷｉＭＡＸ通信用アンテナ２０３を介して、モバイルＷｉＭＡＸ基地局１０２に対して通信データを送信する（ステップＳ３１０）。尚、モバイルＷｉＭＡＸ基地局１０２に対して送信される通信データは、送信用通信データ作成部２１２において作成されるデータ或いは送信用通信データ記憶部２１３に予め記憶されているデータである。
【００５７】
ステップＳ３１０に続くステップＳ３２０において、通信方式判定部２０８は、無線ＬＡＮ通信が可能であるか否かを判定する。例えば、通信方式判定部２０８は、無線ＬＡＮ通信部２０２及び無線ＬＡＮ通信用アンテナ２０１を用いて、無線ＬＡＮアクセスポイント１０３に対して接続確立要求信号（無線ＬＡＮ通信部２０２と無線ＬＡＮアクセスポイント１０３との接続の確立を要求する信号）を送り、無線ＬＡＮアクセスポイント１０３がその接続確立要求信号に応答して返信してきた場合に、無線ＬＡＮ通信が可能であると判定するとよい。
【００５８】
無線ＬＡＮ通信が可能でなければ（ステップＳ３２０のＮＯ）、通信方式判定部２０８は、無線通信方式をモバイルＷｉＭＡＸから無線ＬＡＮに切り替えないと判定する。そして、その判定結果に従って、通信方式切り替え部２０７は、モバイルＷｉＭＡＸ通信部２０４に給電し無線ＬＡＮ通信部２０２に給電しないことでモバイルＷｉＭＡＸを選択し、モバイルＷｉＭＡＸ通信を維持する。これにより、モバイルＷｉＭＡＸ通信部２０４は、モバイルＷｉＭＡＸ通信用アンテナ２０３を介して、モバイルＷｉＭＡＸ基地局１０２に対して通信データを送信し続ける（ステップＳ３４０）。
【００５９】
一方、無線ＬＡＮ通信が可能であれば（ステップＳ３２０のＹＥＳ）、通信データ種類判定部２０５は、通信データがストリーミングデータ等のリアルタイムデータであるか、インターネットＷＥＢブラウジングのデータ等の非リアルタイムデータであるかを判定する（ステップＳ３３０）。また、ステップＳ３３０において、接続情報保存部２０６は、無線通信方式が変更されても同じ接続先につながるように、現在接続情報（現在の接続先であるＵＲＬ、コンピュータのＩＰアドレス等）を記録する。
【００６０】
ステップＳ３３０における判定の結果、通信データがリアルタイムデータである場合（ステップＳ３３０のＹＥＳ）、通信方式判定部２０８は、無線通信方式をモバイルＷｉＭＡＸから無線ＬＡＮに切り替えないと判定する。そして、その判定結果に従って、通信方式切り替え部２０７は、モバイルＷｉＭＡＸ通信部２０４に給電し無線ＬＡＮ通信部２０２に給電しないことでモバイルＷｉＭＡＸを選択し、モバイルＷｉＭＡＸ通信を維持する。これにより、モバイルＷｉＭＡＸ通信部２０４は、モバイルＷｉＭＡＸ通信用アンテナ２０３を介して、モバイルＷｉＭＡＸ基地局１０２に対して通信データを送信し続け（ステップＳ３４０）、フロー動作を終了する。そして、通信データの送信が完了していなければ、再び図５に示すフロー動作を開始する。
【００６１】
ステップＳ３３０における判定の結果、通信データが非リアルタイムデータである場合（ステップＳ３３０のＮＯ）、通信方式判定部２０８は、無線通信方式をモバイルＷｉＭＡＸから無線ＬＡＮに切り替えると判定する。そして、その判定結果に従って、通信方式切り替え部２０７は、無線ＬＡＮ通信部２０２に給電しモバイルＷｉＭＡＸ通信部２０４に給電しないことで無線ＬＡＮを選択し、モバイルＷｉＭＡＸ通信から無線ＬＡＮ通信に変更する。これにより、無線ＬＡＮ通信部２０２は、接続情報保存部２０６が記録している現在接続情報から接続先を特定し、無線ＬＡＮ通信用アンテナ２０１を介して、無線ＬＡＮアクセスポイント１０３に対して通信データを送信し始め（ステップＳ３５０）、フロー動作を終了する。そして、通信データの送信が完了していなければ、後述する図６に示すフロー動作を開始する。
【００６２】
上記のような動作によると、モバイルＷｉＭＡＸ通信部２０４がリアルタイムデータを送信しているときは、たとえ無線ＬＡＮ通信が可能であると通信方式判定部２０８によって判定されても、リアルタイムデータの送信が完了するまでは無線通信方式をモバイルＷｉＭＡＸのまま維持するので、リアルタイムデータが送信中に途切れるという不具合が生じない。
【００６３】
また、上記のような動作によると、モバイルＷｉＭＡＸ通信部２０４が非リアルタイムデータを送信しているときは、無線ＬＡＮ通信が可能であると通信方式判定部２０８によって判定されると、非リアルタイムデータの送信が完了するのを待たずに無線通信方式をモバイルＷｉＭＡＸから無線ＬＡＮに切り替えるので、携帯電話機１０１のバッテリの長寿命化、通信コストの削減、及び効率の良い無線帯域の使用を実現することができる。
【００６４】
通信方式入力部２０９は、無線通信方式の選択に関するユーザーからの指示内容を入力する。携帯電話機１０１と無線ＬＡＮアクセスポイント１０３との距離が短く、携帯電話機１０１の無線ＬＡＮ通信部２０２と無線ＬＡＮアクセスポイント１０３との接続が確立できる場合、モバイルＷｉＭＡＸ通信と無線ＬＡＮ通信の両方が選択可能になる。この場合に、携帯電話機１０１の通信方式判定部２０８が、図５に示すフロー動作よりも、上記指示内容を優先させるようにしてもよい。これにより、モバイルＷｉＭＡＸ通信から無線ＬＡＮへの無線通信方式の自動切り替えをユーザーの意志によって無効化することができる。
【００６５】
また、無線ＬＡＮアクセスポイント１０３に、無線通信方式の選択に関するユーザーからの指定内容を入力する通信方式入力部を設けてもよい。携帯電話機１０１と無線ＬＡＮアクセスポイント１０３との距離が短く、携帯電話機１０１の無線ＬＡＮ通信部２０２と無線ＬＡＮアクセスポイント１０３との接続が確立できる場合、モバイルＷｉＭＡＸ通信と無線ＬＡＮ通信の両方が選択可能になる。この場合に、携帯電話機１０１の通信方式判定部２０８が、上記指示内容を無線ＬＡＮ通信用アンテナ２０１及び無線ＬＡＮ通信部２０２を介して受け取り、図５に示すフロー動作よりも、上記指示内容を優先させるようにしてもよい。これにより、モバイルＷｉＭＡＸ通信から無線ＬＡＮへの無線通信方式の自動切り替えをユーザーの意志によって無効化することができる。
【００６６】
続いて、携帯電話機１０１の図６に示すフロー動作について説明する。尚、無線ＬＡＮで通信が可能である場合は、できるだけ無線ＬＡＮで通信することが通常の設定であるが、図６に示すフロー動作では、通信方式入力部２０９又は無線ＬＡＮアクセスポイント１０３の通信方式入力部２０９がモバイルＷｉＭＡＸを選択する旨のユーザーからの指示内容を入力し、携帯電話機１０１の通信方式判定部２０８が、通信データが非リアルタイムデータである場合には、上記通常の設定よりも上記指示内容を優先させている。
【００６７】
無線ＬＡＮ通信部２０２は、無線ＬＡＮ通信用アンテナ２０１を介して、無線ＬＡＮアクセスポイント１０３に対して通信データを送信する（ステップＳ４１０）。
【００６８】
ステップＳ４１０に続くステップＳ４２０において、通信データ種類判定部２０５は、通信データがストリーミングデータ等のリアルタイムデータであるか、インターネットＷＥＢブラウジングのデータ等の非リアルタイムデータであるかを判定する。また、ステップＳ４２０において、接続情報保存部２０６は、無線通信方式が変更されても同じ接続先につながるように、現在接続情報（現在の接続先であるＵＲＬ、コンピュータのＩＰアドレス等）を記録する。
【００６９】
ステップＳ４２０における判定の結果、通信データがリアルタイムデータである場合（ステップＳ４２０のＹＥＳ）、通信方式判定部２０８は、無線通信方式を無線ＬＡＮからモバイルＷｉＭＡＸに切り替えないと判定する。そして、その判定結果に従って、通信方式切り替え部２０７は、無線ＬＡＮ通信部２０２に給電しモバイルＷｉＭＡＸ通信部２０４に給電しないことで無線ＬＡＮを選択し、無線ＬＡＮ通信を維持する。これにより、無線ＬＡＮ通信部２０２は、無線ＬＡＮ通信用アンテナ２０１を介して、無線ＬＡＮアクセスポイント１０３に対して通信データを送信し続け（ステップＳ４３０）、フロー動作を終了する。そして、通信データの送信が完了していなければ、再び図６に示すフロー動作を開始する。
【００７０】
ステップＳ４２０における判定の結果、通信データが非リアルタイムデータである場合（ステップＳ４２０のＮＯ）、通信方式判定部２０８は、通信方式入力部２０９又は無線ＬＡＮアクセスポイント１０３の通信方式入力部が入力したユーザーからの指示内容に従って、無線通信方式を無線ＬＡＮからモバイルＷｉＭＡＸに切り替えると判定する。そして、その判定結果に従って、通信方式切り替え部２０７は、モバイルＷｉＭＡＸ通信部２０４に給電し無線ＬＡＮ通信部２０２に給電しないことでモバイルＷｉＭＡＸを選択し、無線ＬＡＮ通信からモバイルＷｉＭＡＸ通信に変更する。これにより、モバイルＷｉＭＡＸ通信部２０４は、接続情報保存部２０６が記録している現在接続情報から接続先を特定し、モバイルＷｉＭＡＸ通信用アンテナ２０３を介して、モバイルＷｉＭＡＸ基地局１０２に対して通信データを送信し始め（ステップＳ４４０）、フロー動作を終了する。そして、通信データの送信が完了していなければ、上述した図５に示すフロー動作を開始する。
【００７１】
また、ユーザーが携帯電話機１０１を携帯して、無線ＬＡＮアクセスポイント１０３が設置されている建物１０４から出て無線ＬＡＮアクセスポイント１０３との接続が切断されそうになった場合、携帯電話機１０１は、その旨を出力部２１１のディスプレイによりユーザーに対して表示し、リアルタイムデータが途切れることを許容してモバイルＷｉＭＡＸ通信に切り替えるか、このままリアルタイムデータの送信が完了するまで無線ＬＡＮ通信が可能な範囲にとどまるかをユーザーに判断してもらい、その判断結果が携帯電話機１０１の操作部によって入力されるようにしてもよい。
【００７２】
（変形等）
上述した実施形態では、無線ＬＡＮモジュールのうち無線ＬＡＮ通信用アンテナ２０１が携帯電話機１０１に外付けされ無線ＬＡＮ通信部２０２が携帯電話機１０１に内蔵されていたが（図２参照）、無線ＬＡＮモジュール全体が携帯電話機１０１に外付けされる形態であってもよく、無線ＬＡＮモジュール全体が携帯電話機１０１に内蔵される形態であってもよい。
【００７３】
同様に、上述した実施形態では、モバイルＷｉＭＡＸモジュールのうちモバイルＷｉＭＡＸ通信用アンテナ２０３が携帯電話機１０１に外付けされモバイルＷｉＭＡＸ通信部２０４が携帯電話機１０１に内蔵されていたが（図２参照）、モバイルＷｉＭＡＸモジュール全体が携帯電話機１０１に外付けされる形態であってもよく、モバイルＷｉＭＡＸモジュール全体が携帯電話機１０１に内蔵される形態であってもよい。
【００７４】
また、上述した実施形態では、携帯電話機１０１がモバイルＷｉＭＡＸモジュールを搭載しているが、モバイルＷｉＭＡＸモジュールの代わりに他の無線通信可能範囲が広い無線通信方式モジュール（例えば、ＨＳＰＤＡモジュールやＬＴＥモジュール）を搭載しても構わない。
【００７５】
また、上述した実施形態では、携帯電話機１０１が無線ＬＡＮモジュールを搭載しているが、無線ＬＡＮモジュールの代わりに他の無線通信可能範囲が狭い無線通信方式モジュール（例えば、ブルートゥース（登録商標）モジュールやＩｒＤＡ規格の赤外線通信モジュール）を搭載しても構わない。
【００７６】
また、上述した実施形態では、携帯電話機１０１を例に挙げたが、本発明に係る携帯通信端末は携帯電話機に限定されず、例えばモバイルＰＣ等であってもよい。
【図面の簡単な説明】
【００７７】
【図１Ａ】は、本発明に係る無線通信システムの全体構成の一例を示す図である。
【図１Ｂ】は、本発明に係る無線通信システムの全体構成の一例を示す図である。
【図２】は、本発明に係る携帯電話機の一構成例を示すブロック図である。
【図３】は、モバイルＷｉＭＡＸ通信で通信データを受信しているときの本発明に係る携帯電話機の動作を示すフローチャートである。
【図４】は、無線ＬＡＮ通信で通信データを受信しているときの本発明に係る携帯電話機の動作を示すフローチャートである。
【図５】は、モバイルＷｉＭＡＸ通信で通信データを送信しているときの本発明に係る携帯電話機の動作を示すフローチャートである。
【図６】は、無線ＬＡＮ通信で通信データを送信しているときの本発明に係る携帯電話機の動作を示すフローチャートである。
【符号の説明】
【００７８】
１０１    携帯電話機
１０２    モバイルＷｉＭＡＸ基地局
１０３    無線ＬＡＮアクセスポイント
１０４    建物
１０５    インターネット回線
２０１    無線ＬＡＮ通信用アンテナ
２０２    無線ＬＡＮ通信部
２０３    モバイルＷｉＭＡＸ通信用アンテナ
２０４    モバイルＷｉＭＡＸ通信部
２０５    通信データ種類判定部
２０６    接続情報保存部
２０７    通信方式切り替え部
２０８    通信方式判定部
２０９    通信方式入力部
２１０    通信データ変換部
２１１    出力部
２１２    送信用通信データ作成部
２１３    送信用通信データ記憶部
【図１Ａ】
2010028416.tif 000003
【図１Ｂ】
2010028416.tif 000004
【図２】
2010028416.tif 000005
【図３】
2010028416.tif 000006
【図４】
2010028416.tif 000007
【図５】
2010028416.tif 000008
【図６】
2010028416.tif 000009